(57)【要約】【課題】  安全索を屋根に掛け回した場合における軒側の破損を防止する。【解決手段】  屋根瓦４４の軒側端部を挟持した状態に固定されるクランプ部９と、屋根上２０に掛け渡される安全索１８を挿通ガイドするとともに、軒側先端部１３が樋４７をオーバハングした状態で略下方に向けて湾曲案内するガイド部１０とを備え、ガイド部１０は、安全索１８を軒側先端部１３に導く溝部１１と、安全索１８の案内方向を屈曲するガイドローラ８とを備え、クランプ部９は、屋根瓦４４の下面に当接する固定クランプ板２と、固定板４の下部に配置され固定クランプ板２に対向し屋根瓦４４の上面に当接する可動クランプ板５とを具備するとともに、可動クランプ板５を固定クランプ板２に向けて移動させる操作ハンドル６が固定板４上に設けられることを特徴とする。【選択図】    図１
2004324404.tif 000002
【特許請求の範囲】
【請求項１】
屋根瓦の軒側端部を挟持した状態に固定されるクランプ部と、
屋根上に掛け渡される安全索を挿通ガイドするとともに、軒側先端部が樋をオーバハングした状態で略下方に向けて湾曲案内するガイド部と、
を備えることを特徴とする建築工事用安全索の案内装置。
【請求項２】
前記ガイド部は、前記安全索を前記軒側先端部に導く溝部を備えるとともに、該安全索の案内方向を屈曲する位置で回転自在となるガイドローラを備えることを特徴とする請求項１記載の建築工事用安全索の案内装置。
【請求項３】
前記クランプ部は、前記屋根瓦の下面に当接する固定クランプ板と、固定クランプ板上に配置される固定板と、固定板の下部に配置され、前記固定クランプ板に対向し前記屋根瓦の上面に当接する可動クランプ板とを具備するとともに、該可動クランプ板を前記固定クランプ板に向けて移動させる操作ハンドルが前記固定板上に設けられることを特徴とする請求項１又は２記載の建築工事用安全索の案内装置。
【請求項４】
前記固定クランプ板は、前記ガイド部の軒側先端部と一体に構成されることを特徴とする請求項３記載の建築工事用安全索の案内装置。
【請求項５】
請求項１，２，３，４のいずれか１つに記載の建築工事用安全索の案内装置を用いた安全索取付構造であって、
建物の開口部の上框と、屋内側の床面間とに突っ張った状態で固定配置される伸縮可能な支持棒を具備し、該支持棒に、前記案内装置を通じて屋根上から引込まれた安全索の端部が連結されることを特徴とする安全索取付構造。
【請求項６】
前記支持棒の上端には、Ｌ字形状の支持部材が取り付けられ、該支持部材を前記開口部の屋内側から係合させることを特徴とする請求項５記載の安全索取付構造。
【請求項７】
前記支持棒の中途部には、緩衝部を備え、前記建物の開口部における下框に当接させることを特徴とする請求項５又は６記載の安全索取付構造。
【発明の詳細な説明】
【技術分野】
【０００１】
本発明は、家屋などの屋根上にて作業する作業者の安全確保に使用される命綱が連結される建築工事用安全索の案内装置とこれを用いた安全索取付構造に関する。
【背景技術】
【０００２】
家屋などの既存建物の屋根部分に対して、次のような施工がなされる場合がある。
１．アフターメンテナンス
２．リフォーム工事
３．点検工事
４．解体作業
５．清掃作業
【０００３】
このような作業は、高所作業であることから、建物の外周囲に足場を組む場合があるが、足場を組めない場合、あるいは足場からでは手の届かない位置で作業を行われるような場合には、屋根上に直接作業者自身が乗り、前述の作業を行っている。
【０００４】
但し、この場合には転落などの危険性がつきまとうため、安全索を屋根面に掛渡し、この安全索の両端を軒部分に連結した取付装置に固定して、屋根面において、安全索に設けた結び目に作業者の腰などに取り付けられた命綱を連結して作業を行うようにしている。
【０００５】
取付装置は、基本的に軒部分の下部と上部とを挟持した状態に固定されるアームを備え、このアームに前記安全索の端部を連結する構成となっている（特許文献１，２）。また、取付装置を取り付けることができない軒構造では、屋根面に掛け回した安全索の両端部を地表部側で砂袋などの重しにより張設状態に支持するようにしている（特許文献３）。
【特許文献１】実用新案登録第２５９２７３２号公報
【特許文献２】実公昭６０−２５２６７号公報
【特許文献３】特開２００２−１３２９４号公報
【発明の開示】
【発明が解決しようとする課題】
【０００６】
しかしながら、安全索を屋根に沿って掛け回した場合においては、屋根の軒側端部に安全索の緊張力が集中し、屋根の軒側端部や、これに平行して配置された樋を破損するおそれが生ずる。
【０００７】
また、隣地境界との間が狭く、安全索の両端を地表部に固定することができない場合や、二階建て家屋の屋根（大屋根）に安全索を掛け回す際では、一階の下屋部分の張り出しなどが邪魔して地表部に固定することができない場合もあり、さらには地表部から掛け回す場合には、特に二階建ての建物の場合には、安全索としての必要な長さに比べて全体長さが極めて長いものとなり、安全索に連結する補助索などの取り回しも面倒で、作業が煩雑となっていた。
【０００８】
本発明は、以上の課題を解決するものであり、その目的とするところは、安全索を屋根に掛け回した場合における軒側の破損を防止するようにした安全索の案内装置を提供するものである。また、本発明の他の目的は、窓、掃き出しなどの建物開口部を利用し、この位置で安全索の端部を強固に固定できるようにした安全索の取付構造を提供するものである。
【課題を解決するための手段】
【０００９】
次に、上記の課題を解決するための手段を、実施の形態に対応する図面を参照して説明する。
この発明の建築工事用安全索の案内装置は、屋根瓦４４の軒側端部を挟持した状態に固定されるクランプ部９と、
屋根上２０に掛け渡される安全索１８を挿通ガイドするとともに、軒側先端部１３が樋４７をオーバハングした状態で略下方に向けて湾曲案内するガイド部１０と、
を備えることを特徴とする。
【００１０】
このような案内装置１によれば、安全索１８の掛け回しによる屋根２０の軒側端部に対する破損を未然に防止できる。
【００１１】
また、本発明の建築工事用安全索の案内装置では、前記ガイド部１０は、前記安全索１８を前記軒側先端部１３に導く溝部１１を備えるとともに、該安全索１８の案内方向を屈曲する位置で回転自在となるガイドローラ８を備えることを特徴とする。
【００１２】
このような建築工事用安全索の案内装置によれば、溝部１１により安全索１８は屋根２０から軒側先端部１３に導かれ、ガイドローラ８により安全索１８の移動時における摩擦が低減し、摩擦による破損などを防止できる。
【００１３】
さらに、本発明の建築工事用安全索の案内装置では、前記クランプ部９は、前記屋根瓦４４の下面に当接する固定クランプ板２と、固定クランプ板２上に配置される固定板４と、固定板４の下部に配置され、前記固定クランプ板２に対向し前記屋根瓦４４の上面に当接する可動クランプ板５とを具備するとともに、該可動クランプ板５を前記固定クランプ板２に向けて移動させる操作ハンドル６が前記固定板４上に設けられることを特徴とする。
【００１４】
このような建築工事用安全索の案内装置によれば、操作ハンドル６を操作することで、固定クランプ板２と、可動クランプ板５とで屋根瓦４４を挟持させることができ、すなわち、シンプルな操作で、屋根２０の軒側端部に固定できる。なお、前記可動クランプ板５に、操作ハンドル６と平行してガイドピン７を突設させ、前記固定板４に貫通形成されたガイド孔４ａを貫通して上下する構成を採ることで、回転操作時における可動クランプ板５の連れ廻りを防止できる。
【００１５】
また、本発明の建築工事用安全索の案内装置では、前記固定クランプ板２は、前記ガイド部１０の軒側先端部１３と一体に構成されることを特徴とする。
【００１６】
このような建築工事用安全索の案内装置によれば、固定クランプ板２からガイド部１０の軒側先端部１３が延出するようになり、屋根瓦４４に取り付けた状態で、軒側先端部１３が、屋根瓦４４に沿って延出し、安全索１８の案内が行われる。
【００１７】
さらに、本発明の建築工事用安全索の案内装置を用いた安全索取付構造では、建物の開口部４８の上框２２と、屋内側の床面間とに突っ張った状態で固定配置される伸縮可能な支持棒２３を具備し、該支持棒２３に、前記案内装置１を通じて屋根２０上から引込まれた安全索１８の端部が連結されることを特徴とする。
【００１８】
このような建築工事用安全索の案内装置を用いた安全索取付構造では、建物の窓部分などの開口部４８の上框２２と床面間に支持棒２３が位置し、この支持棒２３に前記案内装置１を通じて引込まれた安全索１８の端部が連結されることとなり、安全索１８を地表へおろさなくとも確実に屋根２０部分に、この安全索１８を掛け回すことが可能となる。
【００１９】
また、本発明の安全索取付構造では、前記支持棒２３の上端には、Ｌ字形状の支持部材２９が取り付けられ、該支持部材２９を前記開口部４８の屋内側から係合させることを特徴とする。
【００２０】
このような安全索取付構造によれば、支持棒２３が開口部４８の上框２２に屋内側から係合され、この支持棒２３から屋外側への引張力を確実に保持できる。
【００２１】
さらに、本発明の安全索取付構造では、前記支持棒２３の中途部には、緩衝部３３を備え、前記建物の開口部４８における下框２１に当接させることを特徴とする。
【００２２】
このような安全索取付構造によれば、建物の開口部４８が、腰窓などの構造である場合に有効であり、上框２２と床面とに突っ張り状態とされるとともに、支持棒２３の中途が下框２１に当接し、安全索１８の掛け回し状態が、より確実なものとなる。
【発明の効果】
【００２３】
以上説明したように本発明による建築工事用安全索の案内装置では、クランプ部にて、屋根瓦の軒側端部を挟持し、ガイド部にて樋をオーバーハングするように安全索をガイドして、この安全索が屋根上に掛け渡されることとなるので、屋根の端縁部分において、安全索によって樋が破損されてしまうことがなく、この樋を含む軒側部分の破損を未然に防止できる。
【００２４】
また、案内装置に溝部を備えることで、安全索を確実に屋根面から軒下方向に導くことが可能であり、さらに、ガイドローラを備える構成とすることで、安全索の移動時における摩擦が低減し、この摩擦による破損などを防止できる。
【００２５】
さらに、この建築工事用安全索の案内装置によれば、操作ハンドルを操作することで、固定クランプ板と、可動クランプ板とで屋根瓦を挟持させることができ、すなわち、シンプルな操作で、屋根の軒側端部に固定できる。
【００２６】
また、この建築工事用安全索の案内装置によれば、固定クランプ板とガイド部の軒側先端部とを一体構成とすることで、固定クランプ板からガイド部の軒側先端部が延出するようになり、屋根瓦に取り付けた状態で、軒側先端部が、屋根瓦に沿って延出し、安全索の案内を行うことが可能となる。
【００２７】
また、本発明の建築工事用安全索の案内装置を用いた安全索取付構造によれば、建物の窓部分などの開口部の上框と床面間に支持棒が位置し、この支持棒に前記案内装置を通じて引込まれた安全索の端部が連結されることとなり、安全索を地表へおろさなくとも確実に屋根部分に、この安全索を掛け回すことが可能となる。そして、このように、支持棒を用いて建物開口部から安全索を屋根上に掛け回すことが可能となり、建物が２階建てなどの場合に、不要な高所作業の削減が図れ、煩雑さが軽減されることとなる。特に、この支持棒を用いることで、安全索の端部における固定を簡便に行うことができ、施工作業性を向上させることが可能となる。さらに、撤収作業も、支持棒については、短く縮めるのみで行うことが可能であり、作業性が向上することとなる。
【００２８】
また、本発明の安全索取付構造では、支持棒の上端にＬ字形状の支持部材を取り付けた構成としたことで、支持棒が開口部の上框に屋内側から係合され、この支持棒から屋外側への引張力を確実に保持できることとなる。
【００２９】
さらに、本発明の安全索取付構造では、前記支持棒の中途部に、緩衝部を備えた構成としたことで、建物の開口部が、腰窓などの構造である場合に有効であり、上框と床面とに突っ張り状態とされるとともに、支持棒の中途が下框に当接し、安全索の掛け回し状態が、より確実なものとなる。
【発明を実施するための最良の形態】
【００３０】
以下、本発明の好ましい実施の形態につき、添付図面を参照して詳細に説明する。
はじめに、建築工事用安全索の案内装置について説明する。
図１は本発明に係る案内装置の斜視図、図２（ａ），（ｂ）は同装置の取付状態を示すものである。
案内装置１は、所定厚さの十分な剛性を有する金属板などよりなり、クランプ部９とガイド部１０とで大略構成される。
【００３１】
クランプ部９は、固定クランプ板２と、固定板４と、可動クランプ板５と、操作ハンドル６とで略構成されている。
固定クランプ板２は、略平坦な略短冊板状をなしかつ先端が軒側に向けて略Ｊ字型に湾曲形成されている。この軒側の先端は、後述するガイド部１０の軒側先端部１３を兼ねている。
【００３２】
固定板４は、固定クランプ板２の上面に逆Ｌ字形をなして溶接などにより一体化された一対のガイド板１２間に、固定クランプ板２に対して所定間隔を隔てて、略平行となって設けられる。
【００３３】
可動クランプ板５は、固定クランプ板２と固定板４との間に位置し、固定板４に対して、その下部に昇降可能に配置され、固定クランプ板２と対向して配設される。なお、この可動クランプ板５は、本実施の形態では、下向きに開口する断面略コ字状に形成されており、図１，２に示すように、固定クランプ板２との対向面に、当接部５ａが突設されている。この当接部５ａは、例えばゴムや樹脂などの金属とは異なるやや軟質な素材よりなり、図２に示すように、本実施の形態では、前後一対に設けられる。
【００３４】
操作ハンドル６は、固定板４を貫通して設けられ、その先端に可動クランプ板５が連結されている。本実施の形態では、この操作ハンドル６は、略Ｌ字状に形成され、先端に雄ねじが形成されており、固定板４を貫通して螺着されるとともに、この雄ねじの先端に可動クランプ板５が連結されている。すなわち、固定板４に対して、操作ハンドル６の回転操作により、可動クランプ板５が昇降できるようになっている。
【００３５】
また、この操作ハンドル６の近傍には、ガイドピン７が設けられている。このガイドピン７は、可動クランプ板５に植設されており、固定板４に穿設されたガイド孔４ａを貫通している。そして、操作ハンドル６による可動クランプ板５の昇降時に、この可動クランプ板５が略真直に昇降できるよう廻り止めとなっている。
【００３６】
ガイド部１０は、軒側先端部１３と、溝部１１と、ガイドローラ８とで大略構成される。
軒側先端部１３は、上記固定クランプ板２の軒側の先端を兼ねており、略Ｊ字型に湾曲し形成されている。この軒側先端部１３の湾曲した表面は、安全索１８を案内する摺動案内面１３ａとなっている。
【００３７】
溝部１１は、上記クランプ部９の固定板４と、これを支持する一対のガイド板１２，１２で構成される略コ字状の溝である。この溝部１１には、上記した操作ハンドル６が略中央に位置している。
【００３８】
ガイドローラ８は、回転可能な略軸状に構成され、一対のガイド板１２，１２間に渡設されるように設けられる。このガイドローラ８は、図２に示すように、固定クランプ板２に対して所定間隔をあけて配置され、この固定クランプ板２と固定板４との間隔距離と同等とされている。すなわち、図２（ｂ）に示すように、溝部１１に安全索１８がガイドされた状態で、軒側先端部１３へ、この安全索１８の向きを導く際に、その案内方向の屈曲部分となる。
【００３９】
以上のように構成された案内装置１は、屋根２０の軒側端部に取り付けられる。ここで、屋根２０における軒側のおさまりは各種形式があるが、図１，２に示すように、一般には屋根勾配に沿って配置された垂木４１と、垂木４１上に野地板４２などを介して順次棟側に向けて葺かれた瓦４４と、垂木４１の軒側端部に固定された鼻かくし４５、及び鼻かくし４５の先端に例えば略Ｌ字形状の受金物４６を介して固定され、瓦４４の下縁に沿って配置される樋４７などからなっている。
【００４０】
なお、前記瓦４４は、各種形状があるが、図１に示すような、和型瓦の他に、図７（ａ）に示すような波型瓦４４Ａ、図７（ｂ）に示すようなＳ型瓦４４Ｂや、図８（ａ），（ｂ）に示すような平板瓦４４Ｃやフラット瓦４４Ｄなどの形状であっても、瓦の軒側端部は、鼻かくし４５の先端より突出し、その下部に沿って樋４７が配置されており、本発明の案内装置１は適用可能である。
【００４１】
したがって、案内装置１の固定クランプ板２を、瓦４４の下部に位置させ、操作ハンドル６を回転操作して、可動クランプ板５を下降させ、可動クランプ板５と固定クランプ板２との間で瓦４４の軒側端部を挟持固定することにより、案内装置１は屋根２０の軒側端部において前記樋４７をオーバハングした状態で固定することができる。
その後は、安全索１８をガイド部１０の溝部１１に通し、ガイドローラ８及び摺動案内面１３ａを通じて、その下端を後述する屋根直下における開口部位置あるいは地表部などに固定すれば、安全索１８の固定がなされる。
【００４２】
この安全索１８の屋根面側には所定間隔毎にループ状のリング形係止部１８ａが設けられており、このリング形係止部１８ａに作業者側の腰部に連結された後述する命綱３２の先端に設けた連結環、所謂カラビナ３４を係止し連結することで、作業者の安全が確保される。
【００４３】
このような案内装置１によれば、屋根２０上に掛け回される安全索１８が、屋根２０の端縁部分において、樋４７をオーバーハングするように導かれることとなり、このことから、樋４７を破損してしまうことがなくなる。
【００４４】
次に、以上で説明した建築工事用安全索１８の案内装置を用いた安全索取付構造について説明する。
この取付構造は、図３に示すような、支持棒２３が用いられる。この支持棒２３は、座板２４と、固定杆２５と、ラッチ機構２６と、伸縮杆２７と、支持部材としての係止板２９とで略構成される。座板２４は、略矩形板状に形成され、板面中央に固定杆２５の下端が回転自在に連結される。固定杆２５は中空パイプ状に構成され、上端にラッチ機構２６が設けられる。
【００４５】
固定杆２５には、スライド自在に内設されて固定杆２５に対して伸縮自在となる伸縮杆２７が設けられている。伸縮杆２７は、側面に、長手方向に等間隔となって連続する係止穴が多数穿設され、固定杆２５上端のラッチ機構２６に係脱自在とされる。なおラッチ機構２６には、係止穴２７ａに対して係合している状態を保持する規制片が設けられている。
【００４６】
伸縮杆２７の上端には、メネジ部が形成されている。このメネジ部には、オネジ部２８を備えた係止板２９が螺着される。係止板２９は、断面Ｌ字型の板状部材で、内側板面にゴム材などの当接板２９ａが貼着され、下面に所定長さのオネジ部２８が垂下方向に突設されている。そしてこのオネジ部２８が伸縮杆２７上端に螺着されて連結される。なお、固定杆２５の中途には、緩衝部３３が設けられている。この緩衝部３３は、軟質ウレタンフォームやゴム材などの軟質な素材よりなり、固定杆２５の中途部分の外周面を被覆するように設けられる。
【００４７】
また、この支持棒２３の上端には、連結用ロープ３０が、その中途をまき結びなどの結び手段により容易に解けないように取り付けられている。この連結用ロープ３０は、両端に連結環３０ａが設けられている。この連結環３０ａには、安全索１８に連結されるカラビナ３１が連結される。
【００４８】
なお、安全索１８には、上記したように、屋根２０上においては、リング形係止部１８ａが複数設けられているが、このリング形係止部１８ａは、リング内面を形成する硬質合成樹脂製或いは金属製の保護部材１８ｂが装着され、リング形状を保ち、かつこのリング形係止部１８ａに連結されるカラビナ３１等を容易に連結できるようになっている。また、安全索１８の端部には、緊張金具３５が取り付けられ、この緊張金具３５に上記カラビナ３１が連結される構成となっている。この緊張金具３５は、ワンウェイクラッチ状に構成されており、安全索１８の端部を引っ張ることで、この安全索１８の中間部分、すなわち屋根２０上に掛け回される部分を緊張状態に安定させる。
【００４９】
次に、安全索１８の屋根２０への掛け回し構造について図を用いて説明する。はじめに、建物が２階建てで、開口部４８が掃き出し形式である場合について説明する。
【００５０】
まず、図４（ａ）に示すように、建物の開口部４８における枠部分などを構成する下框或いは床面２１と上框２２の間に支持棒２３を固定し、これに安全索１８の端部を連結する。
支持棒２３は、縮められた状態で搬入され、開口部４８の位置で伸長される。支持棒２３は、下端となる座板２４を床面或いは下框２１上に略垂直となるように配置し、ラッチ機構２６を作動させない状態で伸縮杆２７を垂直上方向に伸ばす。
【００５１】
伸縮杆２７を伸ばす際には、上端の係止板２９を、屋内側から開口部４８の上框２２に係合するように操作し、この係止板２９が、上框２２に当接する手前でラッチ機構２６にて停止させる。
【００５２】
次に、ラッチ機構２６では、規制片を操作し、この位置で伸縮杆２７が縮まないようにラッチ機構２６を操作不能状態とする。
【００５３】
次に、係止板２９を上框２２に当接状態で、この係止板２９に対して、伸縮杆２７及び固定杆２５を回転させる（図４（ｂ）参照）。これによりオネジ部２８に対してメネジ部が回転されることとなって、メネジ部に対し、オネジ部２８が突出することとなり、すなわちネジジャッキ状に作動して上端の係止板２９と下端の座板２４間で伸長し、開口部２８の上下間で突っ張ることとなる。そして、上端の係止板２９の形状により、屋外方向への外れ止めがなされる。
【００５４】
次に、この支持棒２３の中途、好ましくは出来るだけ上端に、連結用ロープ３０が取り付けられ、或いは、予め、上記した支持棒２３の取付作業以前に取り付けられている連結用ロープ３０に、前述した案内装置１を通じて軒下側に吊下げられた安全索１８の端部を引寄せ、この安全索１８に連結されたカラビナ３１を連結用ロープ３０の連結環３０ａに係止することで安全索１８の端部が固定されることになる。
次に、安全索１８に弛みなどが生じないように、緊張金具３５にて安全索１８の張設状態が調整される。
【００５５】
その後、図４（ａ）に示すように、屋根２０上の作業員Ｐの腰部分に取り付けられた安全ベルトと、安全索１８のリング形係止部１８ａとの間を、カラビナ３４などを介して命綱３２を連結し、この状態で屋根面に乗っての作業がなされることとなる。
なお、連結用ロープ３０を支持棒２３の上端に近接した位置とすることで、支持棒２３にかかる連結用ロープ３０を介する引張力が、係止板２９と上框２２の部分に集中させることが可能となる。
【００５６】
次に、図５に示すように、建物の開口部４８が、腰窓形式である場合について説明する。
腰窓の枠体を構成する上框２２と床面との間には、前述と同様に支持棒２３が突っ張った状態で固定される。なお、この腰窓の場合では、床面が上框２２の直下に位置しないことから、図５に示すように、やや斜めに配置される。そして、上記した掃き出しの場合と同様に開口部４８に設置されるが、開口部４８の下框２１が支持棒２３の中途部側面に当接状態となる、この支持棒２３の中途部には、緩衝部３３が設けられていることから、この緩衝部３３が腰窓（開口部４８）の下框２１に屋内側から当接することとなる。これにより、下框２２に対する損傷等を防止することが可能となる。
【００５７】
そして、その後、上記同様に、案内装置１を介して安全索１８が掛け回され、作業員Ｐの安全ベルトと連結されることとなる。
【００５８】
このように、支持棒２３を用いて建物開口部４８から安全索１８を屋根上２０上に掛け回すことが可能となり、建物が２階建てなどの場合に、不要な高所作業の削減が図れ、煩雑さが軽減されることとなる。特に、この支持棒２３を用いることで、安全索１８の端部における固定を簡便に行うことができ、施工作業性を向上させることが可能となる。さらに、撤収作業も、支持棒２３については、短く縮めるのみで行うことが可能であり、作業性が向上することとなる。
また、地表に向けて安全索１８を延長させる必要がなくなり、この安全索１８を短く設定できる。
【００５９】
なお、図６は建物が平屋建である場合の前述した安全索１８の取付構造における他の実施の形態を示すもので、この実施の形態では、建物開口部４８に支持棒２３を使用せず、安全索１８を前記案内装置１を介して屋根２０に掛け回し、その両端を地表部に配置された砂袋３４に連結した点が前記と異なる。
【図面の簡単な説明】
【００６０】
【図１】本発明に係る建築工事用安全索の案内装置の一実施の形態を示す斜視図である。
【図２】（ａ）同実施の形態における案内装置の建物の軒側端部に対する固定手順を示す側断面図である。  （ｂ）同固定手順を示す側断面図である。
【図３】建築工事用安全索の案内装置を用いた安全索取付構造の一実施の形態を示す一部裁断側面図である。
【図４】（ａ）建築工事用安全索の案内装置を用いた安全索取付構造の腰窓に取付例を示す側断面説明図である。  （ｂ）同一部拡大側断面図である。
【図５】建築工事用安全索の案内装置を用いた安全索取付構造の腰窓に取付例を示す側断面説明図である。
【図６】他の実施の形態を示す断面説明図である。
【図７】（ａ），（ｂ）は他の実施の形態の建築工事用安全索の案内装置を示す斜視図である。
【図８】（ａ），（ｂ）は他の実施の形態の建築工事用安全索の案内装置を示す斜視図である。
【符号の説明】
【００６１】
１…案内装置
２…固定クランプ板
４…固定板
５…可動クランプ板
６…操作ハンドル
８…ガイドローラ
９…クランプ部
１０…ガイド部
１１…溝部
１３…軒側先端部
１８…安全索
２０…屋根
２１…下框
２２…上框
２３…支持棒
２９…支持部材（係止板）
３３…緩衝材
４４…瓦
４７…樋
４８…開口部
【図１】
2004324404.tif 000003
【図２】
2004324404.tif 000004
【図３】
2004324404.tif 000005
【図４】
2004324404.tif 000006
【図５】
2004324404.tif 000007
【図６】
2004324404.tif 000008
【図７】
2004324404.tif 000009
【図８】
2004324404.tif 000010